(57)【要約】【課題】簡単な構成でありながら、配送中に高い安全性を確保でき、特殊な設備は必要なく、低コスト化が可能な貴重品配送用シールセットとその使用方法及び貴重品配送システムを提供する。【解決手段】貴重品配送用シールセット１０は、配送元の依頼主の控えとなり、第１の識別情報１１ａを有する控片１１と、剥離の有無を確認可能であり、第１の識別情報１１ａと同一の第２の識別情報１２ａを有する封印シール１２とを備え、配送伝票２０は、配送物に貼付するものであり、必要事項を記入する記入欄２１と、控片１１の第１の識別情報１１ａを転記するための封印ナンバー記入欄２２と、伝票番号などの伝票識別情報２３とを備え、封印ナンバー記入欄２２に第１の識別情報１１ａを転記し、伝票識別情報２３と同一の確認情報が印字された受領確認ラベル３０を控片１１の裏面に貼付し、配送物に配送伝票２０及び封印シール１２を貼付して、配送物を配送する。【選択図】図１
2006051763.tif 000002
【特許請求の範囲】
【請求項１】
第１の識別情報を有する控片と、
前記控片と綴じ合わされ、前記第１の識別情報と少なくとも一部が同一又は関連性のある第２の識別情報を有し、配送物に貼付される少なくとも１つの封印シール部と、
を備える貴重品配送用シールセット。
【請求項２】
請求項１に記載の貴重品配送用シールセットにおいて、
前記封印シール部は、剥離の有無が確認可能であること、
を特徴とする貴重品配送用シールセット。
【請求項３】
請求項２に記載の貴重品配送用シールセットにおいて、
前記封印シール部は、脆質層を有する脆質ラベル、内部に切込みを有する切込みラベルに代表されるセキュリティラベルであること、
を特徴とする貴重品配送用シールセット。
【請求項４】
請求項１から請求項３までのいずれか１項に記載の貴重品配送用シールセットを使用する貴重品配送用シールセットの使用方法において、
前記貴重品配送用シールセットは、貴重品を配送するための配送伝票とともに使用されるものであって、
前記配送伝票に前記第１の識別情報の少なくとも一部を形成し、前記配送物の所定の位置に前記配送伝票及び前記封印シール部を貼付して、その配送物を配送すること、
を特徴とする貴重品配送用シールセットの使用方法。
【請求項５】
請求項４に記載の貴重品配送用シールセットの使用方法において、
前記配送伝票は、伝票用の識別情報を備え、
前記控片に前記伝票用の識別情報と少なくとも一部が同一又は関連性のある確認情報を形成すること、
を特徴とする貴重品配送用シールセットの使用方法。
【請求項６】
請求項１から請求項３までのいずれか１項に記載の貴重品配送用シールセットを使用し、請求項４又は請求項５に記載の貴重品配送用シールセットの使用方法を実施する貴重品配送システムにおいて、
配送元に設けられ、前記各識別情報を読み取る第１の読取部と、
前記第１の読取部が読み取った各識別情報を記憶する記憶部と、
配送先に設けられ、前記各識別情報を読み取る第２の読取部と、
前記記憶部が記憶している各識別情報と前記第２の読取部が読み取った各識別情報とを比較し、配送の前後で各識別情報が適正に整合しているか否かを確認する確認部と、
を備える貴重品配送システム。
【発明の詳細な説明】
【技術分野】
【０００１】
本発明は、貴重品を配送するのに好適な貴重品配送用シールセットとその使用方法及び貴重品配送システムに関するものである。
【背景技術】
【０００２】
特許文献１は、貴重品の集配を集配業者に委託する場合に、安全性を高めることができる貴重品集配方法を開示している。
【０００３】
しかし、特許文献１のものは、集配スケジュールを管理し、各当事者に貴重品の集配スケジュールを通知することによって、集配スケジュールが第三者に漏洩することを防止しているものであるが、貴重品の保護や、配送中の安全面に関しては、十分に対応がとられていない可能性があった。
【０００４】
また、特許文献１のものは、予約管理装置、集配計画作成装置、集配センタ装置、予約装置などといった様々な装置を導入しなくてはならず、このようなシステムを導入するには、コストがかかりすぎてしまう可能性もあった。
【特許文献１】特開２００２−０８７５２１号公報
【発明の開示】
【発明が解決しようとする課題】
【０００５】
本発明の課題は、簡単な構成でありながら、配送中に高い安全性を確保でき、しかも、特殊な設備は必要なく、低コスト化が可能な貴重品配送用シールセットとその使用方法及び貴重品配送システムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、第１の識別情報（１１ａ）を有する控片（１１）と、前記控片（１１）と綴じ合わされ、前記第１の識別情報（１１ａ）と少なくとも一部が同一又は関連性のある第２の識別情報（１２ａ）を有し、配送物に貼付される少なくとも１つの封印シール部（１２）と、を備える貴重品配送用シールセットである。
請求項２の発明は、請求項１に記載の貴重品配送用シールセットにおいて、前記封印シール部（１２）は、剥離の有無が確認可能であること、を特徴とする貴重品配送用シールセットである。
請求項３の発明は、請求項２に記載の貴重品配送用シールセットにおいて、前記封印シール部（１２）は、脆質層を有する脆質ラベル（１２−１）、内部に切込み（１２ｂ）を有する切込みラベル（１２−２）に代表されるセキュリティラベルであること、を特徴とする貴重品配送用シールセットである。
請求項４の発明は、請求項１から請求項３までのいずれか１項に記載の貴重品配送用シールセット（１０）を使用する貴重品配送用シールセットの使用方法において、前記貴重品配送用シールセット（１０）は、貴重品を配送するための配送伝票とともに使用されるものであって、前記配送伝票（２０）に前記第１の識別情報（１１ａ）の少なくとも一部を形成し、前記配送物の所定の位置に前記配送伝票（２０）及び前記封印シール部（１２）を貼付して、その配送物を配送すること、を特徴とする貴重品配送用シールセットの使用方法である。
請求項５の発明は、請求項４に記載の貴重品配送用シールセットの使用方法において、前記配送伝票（２０）は、伝票用の識別情報（２３）を備え、前記控片（１１）に前記伝票用の識別情報（２３）と少なくとも一部が同一又は関連性のある確認情報を形成すること、を特徴とする貴重品配送用シールセットの使用方法である。
請求項６の発明は、請求項１から請求項３までのいずれか１項に記載の貴重品配送用シールセット（１０）を使用し、請求項４又は請求項５に記載の貴重品配送用シールセットの使用方法を実施する貴重品配送システムにおいて、配送元に設けられ、前記各識別情報（１１ａ、２３）を読み取る第１の読取部（２０１）と、前記第１の読取部（２０１）が読み取った各識別情報（１１ａ、２３）を記憶する記憶部（２０２）と、配送先に設けられ、前記各識別情報（１１ａ、２３）を読み取る第２の読取部（３０１）と、前記記憶部（２０２）が記憶している各識別情報（１１ａ、２３）と前記第２の読取部（３０１）が読み取った各識別情報（１１ａ、２３）とを比較し、配送の前後で各識別情報（１１ａ、２３）が適正に整合しているか否かを確認する確認部（３０２）と、を備える貴重品配送システムである。
【発明の効果】
【０００７】
本発明によれば、配送元に残る控片と、貼付されて配送される封印シール部とに、同一又は関連性のある識別情報を設けているので、両者を容易に紐付けすることができ、配送後には、マッチング作業も容易に行え、簡単な構成でありながら、高い安全性を確保できる。
【０００８】
また、封印シール部は、剥離の有無が確認可能であるので、不正な開封や識別情報の改ざんなどを防止しながら、貴重品などを配送することができる。
【０００９】
さらに、控片の識別情報を配送伝票に形成し、配送伝票の識別情報を控片に形成することによって、相互の紐付けが可能となり、安全性がより高まる。
【００１０】
一方、貴重品配送システムは、簡単な構成で安全性の高い貴重品配送用シールセットを使用するので、最低限の設備投資で済み、特殊な設備は必要なく、低コスト化が可能である。
【発明を実施するための最良の形態】
【００１１】
本発明は、簡単な構成でありながら、配送中に高い安全性を確保でき、しかも、特殊な設備は必要なく、低コスト化が可能な貴重品配送用シールセットとその使用方法及び貴重品配送システムを提供するという目的を、控片と封印シールとに同一の識別情報を設け、控片の識別情報を配送伝票に転記し、配送伝票の識別情報をラベリングによって控片に形成し、配送伝票と封印シールとを貴重品が封入されている配送物に貼付して、その配送物を配送することにより実現する。
【実施例】
【００１２】
以下、図面等を参照して、本発明の実施例について、さらに詳しく説明する。
図１は、本発明による貴重品配送用シールセットの実施例を示す図であり、図２は、封印シールの詳細を示す図である。
本実施例の貴重品配送用シールセット１０は、貴重品を配送するための配送伝票２０とともに使用するものであって、控片１１と、封印シール（封印シール部）１２などとを備える。
【００１３】
控片１１は、配送元の依頼主の控えとなるものであり、識別番号や識別記号などの第１の識別情報（本実施例では、ａ１２３４−５６７８−９０１２ａ）１１ａを有する。
【００１４】
封印シール１２は、２枚あって、剥離の有無を確認可能なセキュリティラベルであり、剥離可能な糊によって控片１１と左辺が綴じ合わされ、第１の識別情報１１ａと同一の第２の識別情報１２ａを有する。
【００１５】
また、封印シール１２には、例えば、図２（Ａ）に示すように、ラベルを剥離すると、脆質層によってその一部が破壊され、「ＶＯＩＤ」といった文字が発現する脆質ラベル１２−１や、図２（Ｂ）に示すように、ラベルを剥離すると、内部の切込み１２ｂによってその一部が破壊され、再貼付しても剥離（開封）した痕跡が残る切込みラベル１２−２（本実施例では、こちらを採用）などを用いることができる。
【００１６】
一方、配送伝票２０は、配送物に貼付するものであり、依頼主や届け先の住所や電話番号、品名、ワレモノなどの配送に必要な各種情報を記入する記入欄２１と、控片１１の第１の識別情報１１ａを転記するための封印ナンバー記入欄２２と、伝票番号などを含む伝票識別情報（伝票用の識別情報）２３などとを備える。
【００１７】
（使用方法）
次に、本実施例による貴重品配送用シールセット１０の使用方法を説明する。
（＃１）貴重品配送用シールセット１０を用意し、封印ナンバー記入欄２２に第１の識別情報１１ａを転記する。
（＃２）ハンディターミナルで、伝票識別情報２３を読み取り、読み取った伝票識別情報２３と同一の確認情報が印字された受領確認ラベル３０を控片１１の裏面に貼付する。
ここで、ハンディターミナルとは、バーコードなどの情報を読み取り、その読み取った情報をラベルに印字する機械である。
【００１８】
（＃３）配送元の依頼主に控片１１を手渡しする。
（＃４）配送物の所定の位置に配送伝票２０を貼付し、配送物の開封予定位置などの要所に封印シール１２を貼付する。
【００１９】
（＃５）この状態で配送物を配送（配達）する。
（＃６）配送先（届け先）で、封印ナンバー記入欄２２に転記された第１の識別情報１１ａと、実際に貼付されている封印シール１２の第２の識別情報１２ａとが同一であることを確認してもらう。
【００２０】
（＃７）同一であることを確認してもらったうえで、受領印をもらう。
（＃８）これで、配送は完了するが、不審な点（例えば、開封の痕跡ありなど）がある場合には、配送先から配送元の依頼主に確認をすれば、識別情報の整合性を確認することができる。また、控片１１の裏面の受領確認ラベル３０によって、配送伝票２０自体の整合性も確認することができる。
【００２１】
（システム）
次に、図１及び図３を参照しながら、本発明による貴重品配送システムについて説明する。
図３は、本発明による貴重品配送システムの実施例を示す図である。
本実施例の貴重品配送システム１００は、上述した使用方法でのやりとりをシステム化したものであり、配送元端末２００と、配送先端末３００と、ネットワーク４００などとを備える。
【００２２】
配送元端末２００は、パーソナルコンピュータなどの端末であり、控片１１の第１の識別情報１１ａ、及び、配送伝票２０の伝票識別情報２３を読み取る第１のリーダ（第１の読取部）２０１と、第１のリーダ２０１が読み取った各識別情報を記憶するデータベース（記憶部）２０２とを備える。
【００２３】
配送先端末３００は、配送元端末２００と同様の端末であり、配送伝票２０に転記されている第１の識別情報１１ａ、及び、配送されてきた配送伝票２０の伝票識別情報２３を読み取る第２のリーダ（第２の読取部）３０１と、配送の前後での各識別情報の整合性を確認する確認部３０２とを備える。
【００２４】
ネットワーク４００は、インターネットなどの通信手段であり、配送元端末２００と配送先端末３００とを接続している。
【００２５】
そして、配送物を配送する場合は、まず、配送元の第１のリーダ２０１で各識別情報を読み取り、ついで、実際に配送物を配送し、最後に、配送先の第２のリーダ３０１で各識別情報を読み取る。
【００２６】
ここで、確認部３０２は、データベース２０２が記憶している各識別情報と、第２のリーダ３０１が読み取った各識別情報とを比較し、配送の前後で各識別情報が適正に整合しているか否かを確認する。確認結果は、配送先端末３００の表示画面などに表示するとよい。
【００２７】
このように、本実施例によれば、以下のような効果がある。
（１）配送元に残る控片１１と、貼付されて配送される封印シール１２とに、同一の識別情報１１ａ、１２ａを設けているので、両者を容易に紐付けすることができ、配送後には、マッチング作業も容易に行える。
（２）転記やラベリングによって識別情報を形成するので、貴重品の紐付けが容易に行え、簡単な作業で、高い安全性を確保できる。
【００２８】
（３）控片１１の第１の識別情報１１ａを封印ナンバー記入欄２２に転記し、伝票識別情報２３と同一の確認情報をラベリングによって控片１１に形成するので、相互の紐付けが可能となり、安全性がより高まる。
（４）封印シール１２は、複数枚、綴じ合わされているので、開封を予定している部分が複数箇所ある場合には、その複数箇所に貼付することができ、使い勝手がよい。
【００２９】
（５）封印シール１２には、セキュリティラベルを用いているので、不正な開封や識別情報の改ざんなどを防止でき、不正行為が介在した場合には、その事実が確認できる。
（６）貴重品配送システム１００は、上述した貴重品配送用シールセット１０を使用するので、端末とリーダなどといった最低限の設備投資で済み、特殊な設備は必要なく、低コスト化が可能である。
【００３０】
（変形例）
以上説明した実施例に限定されることなく、種々の変形や変更が可能であって、それらも本発明の均等の範囲内である。
例えば、第１の識別情報１１ａは、転記する例で説明したが、受領確認ラベル３０と同様に、ラベリングするようにしてもよい。このようにすれば、転記ミスなどの人為的な間違いを軽減できる。
【００３１】
また、封印シール１２は、製造コストを抑えるために、１枚でもよく、安全性を高めるために３枚以上であってもよい。
【００３２】
さらに、控片１１や配送伝票２０には、同一の識別情報を形成（転記、ラベリング）する例で説明したが、関連性のある識別情報を形成するようにしてもよい。このようにすれば、当事者にしか、その関係がわからず、安全性がさらに高まる。
【図面の簡単な説明】
【００３３】
【図１】本発明による貴重品配送用シールセットの実施例を示す図である。
【図２】封印シールの詳細を示す図である。
【図３】本発明による貴重品配送システムの実施例を示す図である。
【符号の説明】
【００３４】
１０  貴重品配送用シールセット
１１  控片
１１ａ  第１の識別情報
１２  封印シール（封印シール部）
１２ａ  第２の識別情報
１２ｂ  切込み
１２−１  脆質ラベル
１２−２  切込みラベル
２０  配送伝票
２１  記入欄
２２  封印ナンバー記入欄
２３  伝票識別情報（伝票用の識別情報）
３０  受領確認ラベル
１００  貴重品配送システム
２００  配送元端末
２０１  第１のリーダ（第１の読取部）
２０２  データベース（記憶部）
３００  配送先端末
３０１  第２のリーダ（第２の読取部）
３０２  確認部
４００  ネットワーク
【図３】
2006051763.tif 000003
【図１】
2006051763.tif 000004
【図２】
2006051763.tif 000005